(57)【要約】【課題】  各種電子機器に付属したリモートコントロール装置の使い勝手を向上させる。【解決手段】  リモートコントロール装置からのリモートコントロール信号で作動する電子機器において、受信部が受信したリモートコントロール信号の機器カテゴリと、カテゴリ内のコードを判別し、予め登録された第１の機器カテゴリのコードと第２の機器カテゴリのコードとを判別した場合に、それぞれの受信したコードを有効と判別して、判別したコードに対応した機器内の動作を制御する制御指令を発する制御部１０２を備えた。【選択図】      図２ 
2005197951.tif 000002
【特許請求の範囲】
【請求項１】
リモートコントロール信号を受信する受信部と、
前記受信部が受信したリモートコントロール信号の機器カテゴリと、カテゴリ内のコードを判別し、予め登録された第１の機器カテゴリのコードと第２の機器カテゴリのコードとを判別した場合に、それぞれの受信したコードを有効と判別して、判別したコードに対応した機器内の動作を制御する制御指令を発する制御部と、
前記制御部の制御指令に基づいて動作を実行する処理部とを備えた
電子機器。
【請求項２】
請求項１記載の電子機器において、
前記第１の機器カテゴリは、当該機器に割当てられた機器カテゴリであり、前記第２の機器カテゴリは、別の種類の機器に割り当てられた機器カテゴリである
電子機器。
【請求項３】
請求項２記載の電子機器において、
前記第２の機器カテゴリのコードについては、一部のコードについてだけ有効と判別する
電子機器。
【請求項４】
請求項３記載の電子機器において、
前記有効と判別する第２の機器カテゴリのコードは、少なくともビデオ信号及び／又はオーディオ信号の入力切換えを指示するコードを含む
電子機器。
【請求項５】
請求項３記載の電子機器において、
前記有効と判別する第２の機器カテゴリのコードは、少なくとも音量のアップ及びダウンを指示するコードを含む
電子機器。
【発明の詳細な説明】
【技術分野】
【０００１】
本発明は、例えばオーディオ機器やビデオ機器などに適用して好適な電子機器に関し、特に、リモートコントロール装置により遠隔制御可能な電子機器に関する。
【背景技術】
【０００２】
従来、テレビジョン受像機などのビデオ機器や、オーディオ機器などの電子機器として、その機器（被制御機器）の遠隔制御が可能なリモートコントロール装置（リモートコントコマンダ）が付属しているものが多々ある。この場合、リモートコントロール装置と被制御機器との間のデータ伝送は、赤外線信号の無線伝送により行う方式のものが一般的である。
【０００３】
ところで、リモートコントロール装置は、それぞれの被制御機器毎に専用のものを付属させて、ユーザに配付するのが一般的である。この場合、リモートコントロール装置から被制御機器に無線伝送されるデータのコードは、機器の種類毎に変えてある。また、無線伝送されるデータのコードは、それぞれの被制御機器を製造するメーカ毎に全く異なり、例えば、Ａ社のテレビジョン受像機を遠隔制御する赤外線信号のコードと、Ｂ社のテレビジョン受像機を遠隔制御する赤外線信号のコードとは、全く異なる。
【０００４】
このようにメーカ毎にコードが異なる事態に対処するために、例えば、リモートコントロール装置に、複数の会社で使用されているコードを記憶させるようにして、その複数の会社のコードの中の、選択した特定の１つの会社のコードの赤外線信号を送信できるようにして、１台のリモートコントロール装置が、複数の会社の電子機器用のリモートコントロール装置として使用できるようにしたものが開発されている。特許文献１には、このように複数種類のコードを記憶できるリモートコントロール装置についての開示がある。
【特許文献１】特開平５−２５２５７６号公報
【発明の開示】
【発明が解決しようとする課題】
【０００５】
ところが、上述した複数種類のコードを送信できるリモートコントロール装置は、一般には、それぞれの機器に付属したリモートコントロール装置とは別に発売されていて、その複数機器のコードに対応したリモートコントロール装置を別途購入しないと、対応ができない。即ち、例えばあるテレビジョン受像機をユーザが購入した状況を想定すると、通常そのテレビジョン受像機には、その受像機専用のリモートコントロール装置が１個付属している。ここで、そのテレビジョン受像機を購入したユーザが、２個のリモートコントロール装置を必要とする場合に、そのテレビジョン受像機に対応したコードを送信できるリモートコントロール装置を、もう１個買い足す必要がある。もし、ユーザが以前に使用していた別のテレビジョン受像機用のリモートコントロール装置を所持していたとしても、そのテレビジョン受像機が、現在使用中のリモートコントロール装置と別の会社のものである場合には、送信される赤外線信号のコードが異なるので、新しい受像機用に使用することは不可能である。
【０００６】
従って、現状ではユーザが所持しているリモートコントロール装置が有効に活用されていないと言う問題がある。
【０００７】
また、リモートコントロール装置に関して、次のような問題もある。即ち、現状ではリモートコントロール装置が送信するコードは、例え同じメーカの製品であっても、機器のカテゴリが異なると、機能が同じであっても異なるのが一般的である。これは、機器毎の誤動作を防止する観点からは有効であるが、ユーザの使い方によっては、煩わしい場合がある。例えば、テレビジョン受像機にＡＶ（Audio Visual）アンプ装置と称されるビデオ信号及びオーディオ信号の処理装置を接続して、ＡＶアンプ装置で入力切換えなどを行うように構成した場合、テレビジョン受像機用のリモートコントロール装置に配置された入力切換えキーを押しても、テレビジョン受像機内の入力切換えが行われるだけであり、ＡＶアンプ装置の入力切換えは不可能である。ＡＶアンプ装置の入力切換えは、ＡＶアンプ装置に同梱されたリモートコントロール装置を使用しなければ不可能である。
【０００８】
従って、このような使用形態の場合には、テレビジョン受像機用のリモートコントロール装置とＡＶアンプ装置用のリモートコントロール装置の２個のリモートコントロール装置を使い分ける必要があり、非常に煩わしい。しかも、２個のリモートコントロール装置には、入力切換えキーや音量アップダウンキーなどの同じ機能のキーが存在し、ユーザにとっては、どのリモートコントロール装置のキーを操作すれば良いのか判らなくなってしまう問題があった。
【０００９】
なお、ここまでの説明では、テレビジョン受像機のリモートコントロール装置を例にして説明したが、その他の各種電子機器に付属したリモートコントロール装置の場合にも同様の問題がある。
【００１０】
本発明はこれらの点に鑑みてなされたものであり、リモートコントロール装置の使い勝手を向上させることを目的とする。
【課題を解決するための手段】
【００１１】
本発明は、リモートコントロール装置からのリモートコントロール信号で作動する電子機器において、受信部が受信したリモートコントロール信号の機器カテゴリと、カテゴリ内のコードを判別し、予め登録された第１の機器カテゴリのコードと第２の機器カテゴリのコードとを判別した場合に、それぞれの受信したコードを有効と判別して、判別したコードに対応した機器内の動作を制御する制御指令を発する制御部を備えたものである。
【００１２】
このようにしたことで、第１の機器カテゴリのコードのリモートコントロール信号を受信した場合に、そのコードに基づいた制御指令を発して対応した動作制御を行えると共に、それとは別の第２の機器カテゴリのコードのリモートコントロール信号を受信した場合にも、同様にそのコードに基づいた制御指令を発して対応した動作制御を行え、２つの異なる機器カテゴリのリモートコントロール装置からの信号を受け付けて、処理できるようになる。
【発明の効果】
【００１３】
本発明によると、１台の機器で、複数の機器カテゴリのコードのリモートコントロール信号を受信して、そのリモートコントロール信号のコードに基づいた動作が可能になるので、機器カテゴリが異なる複数台のリモートコントロール装置を用意して、そのリモートコントロール装置で遠隔操作することが可能になり、例えば、既に所持しているリモートコントロール装置を有効に活用できるようになる。
【００１４】
この場合、第１の機器カテゴリは、当該機器に割当てられた機器カテゴリであり、第２の機器カテゴリは、別の種類の機器に割り当てられた機器カテゴリであることで、別のカテゴリの機器用のリモートコントロール装置を、この機器用のリモートコントロール装置として使用できるようになる。
【００１５】
また、第２の機器カテゴリのコードについては、一部のコードについてだけ有効と判別するようにしたことで、第１の機器カテゴリと第２の機器カテゴリとで共用するのが好ましい機能のコードだけを、有効に活用できるようになる。
【００１６】
また、このように有効と判別する第２の機器カテゴリのコードは、少なくともビデオ信号及び／又はオーディオ信号の入力切換えを指示するコードを含むことで、例えばテレビジョン受像機用のリモートコントロール装置に用意された入力切換えキーを使用して、別のビデオ機器などの入力切換えを操作することが可能になる。
【００１７】
また、有効と判別する第２の機器カテゴリのコードは、少なくとも音量のアップ及びダウンを指示するコードを含むことで、例えばテレビジョン受像機用のリモートコントロール装置に用意された音量のアップ及びダウンを指示するキーを使用して、別のオーディオ機器などでの再生音量を操作することが可能になる。
【発明を実施するための最良の形態】
【００１８】
以下、本発明の第１の実施の形態を、図１〜図６を参照して説明する。
図１は、本例のシステム構成例を示した図である。本例においては、ＡＶアンプ装置１００を用意して、そのＡＶアンプ装置１００に、複数台のビデオ信号源を接続して、その複数台のビデオ信号源の内の１台を選択する入力選択をＡＶアンプ装置１００で行うようにしてある。そして、その入力選択された機器からＡＶアンプ装置１００に供給されるビデオ信号を、テレビジョン受像機１に供給して表示させると共に、オーディオ信号を接続された左右のスピーカ装置４Ｌ，４Ｒから出力（放音）させる。
【００１９】
図１では、ビデオ信号源として、ビデオ再生装置２（ビデオテープ再生装置，ビデオディスク再生装置など）と、チューナ３（衛星放送チューナ，ＣＳ放送チューナなど）とを用意した例としてある。なお、図１の例では、テレビジョン受像機１でＡＶアンプ装置１００からの入力を選択した状態では、テレビジョン受像機１は映像（ビデオ）の表示手段としてだけ使用し、オーディオ信号はＡＶアンプ装置１００からテレビジョン受像機１には供給しないシステム構成としてある。
【００２０】
ＡＶアンプ装置１００は、赤外線信号受光部１０１を備えて、このＡＶアンプ装置１００の専用のリモートコントロール装置１０からの赤外線信号を受光した場合に、その赤外線信号で示されたコードの処理を行うようにしてある。さらに本例においては、テレビジョン受像機１用のリモートコントロール装置２０からの赤外線信号を受光した場合に、この赤外線信号で示されたコードの内の一部の処理を行うようにしてある。この処理の具体的な説明については後述する。
【００２１】
ＡＶアンプ装置用のリモートコントロール装置１０は、赤外線信号発光部１１を有し、入力切換キー１２，音量アップキー１３，音量ダウンキー１４及びその他の操作キー１５が配置してあり、これらのキーの操作に応じて、赤外線信号発光部１１から対応したコードの赤外線信号が送信（発光）されるようにしてある。この場合、送信される赤外線信号には、ＡＶアンプ装置を示す機器カテゴリのデータが付加してある。
【００２２】
テレビジョン受像機用のリモートコントロール装置２０は、赤外線信号発光部２１を有し、入力切換キー２２，音量アップキー２３，音量ダウンキー２４及びその他の操作キー２５が配置してあり、これらのキーの操作に応じて、赤外線信号発光部２１から対応したコードの赤外線信号が送信（発光）されるようにしてある。この場合、送信される赤外線信号には、テレビジョン受像機を示す機器カテゴリのデータが付加してある。
【００２３】
次に、図２を参照して、本例のＡＶアンプ装置１００の構成について説明する。本例のＡＶアンプ装置１００は、複数組の入力端子１１１，１１２，１１３を備える。それぞれの組の入力端子は、ビデオ信号の入力端子と左チャンネルのオーディオ信号の入力端子と右チャンネルのオーディオ信号の入力端子の３つの入力端子で構成される。図１に示したシステム構成の場合、例えば、ビデオ再生装置２のビデオ信号・オーディオ信号出力端子は、所定のケーブルを介して入力端子１１１に接続してあり、チューナ３のビデオ信号・オーディオ信号出力端子は、所定のケーブルを介して入力端子１１２に接続してある。
【００２４】
それぞれの組の入力端子１１１，１１２，１１３のビデオ信号入力端子に得られるビデオ信号は、ビデオ入力切換部１２１に供給し、制御部１０２からの制御に基づいて、いずれか１つの入力を選択する。選択されたビデオ信号は、ビデオ処理部１２２に供給して、必要によりビデオ処理を施す。例えば、高画質化のための処理、なんらかの文字などのスーパーインポーズ処理などを行う。このビデオ処理部１２２はなくても良い。そして、ビデオ処理部１２２が出力するビデオ信号（ない場合にはビデオ入力切換部１２２の出力）を、ビデオ信号出力端子１２３に供給する。
【００２５】
それぞれの組の入力端子１１１，１１２，１１３の左右のオーディオ信号入力端子に得られるオーディオ信号は、オーディオ入力切換部１３１に供給し、制御部１０２からの制御に基づいて、いずれか１つの入力を選択する。このとき選択する入力は、基本的には、ビデオ入力切換部１２１で選択する入力端子と同じ組の入力端子である。選択されたオーディオ信号は、オーディオ処理部１３２に供給して、必要によりオーディオ処理を施す。例えば、高域音の強調や低域音の強調などを行う。そして、オーディオ処理部１３２が出力するオーディオ信号を、左右のチャンネル別の増幅器１３３Ｌ，１３３Ｒに供給して、増幅する。このときの増幅状態は、制御部１０２から供給される音量制御データに基づいて設定される。各増幅器１３３Ｌ，１３３Ｒで増幅されたオーディオ信号は、それぞれのチャンネル用の出力端子１３４Ｌ，１３４Ｒに供給し、この出力端子１３４Ｌ，１３４Ｒに接続されたスピーカ装置（図１に示したスピーカ装置４Ｌ，４Ｒ）から出力させる。
【００２６】
このＡＶアンプ装置１００の制御部１０２には、赤外線信号受光部１０１が受光（受信）した赤外線信号（リモートコントロール信号）のデータが供給され、そのデータから判別したコードなどに基づいてＡＶアンプ装置１００内の各部の動作制御処理を行う。この場合、制御部１０２には、メモリ１０３が接続してあり、このメモリ１０３に制御に必要なデータやプログラムなどが記憶させてある。このメモリ１０３に記憶させるデータの１つとして、この装置１００で受信するリモートコントロール信号のコードや機器カテゴリに関するデータがある。
【００２７】
また、このＡＶアンプ装置１００の前面パネルには、複数のキー１０４が配置してあり、キー１０４の操作データが制御部１０２に供給される構成としてあり、このキー１０４の操作によっても入力切換えなどの各種操作が可能としてある。また、表示パネル１０５を備え、制御部１０２の制御で動作状態（入力選択状態など）を表示させるようにしてある。
【００２８】
ここで、本例のＡＶアンプ装置１００のメモリ１０３に記憶させるリモートコントロール信号のデータついて説明すると、メモリ１０３には、このＡＶアンプ装置用として設定してある、機器カテゴリが記憶させてあると共に、その機器カテゴリ内の操作用のコードが、どの操作機能に対応しているかのデータを記憶させてある。また本例のメモリ１０３には、ＡＶアンプ装置以外の機器の機器カテゴリと、操作用のコードとを記憶する領域を用意してある。ここでは、後述するように、この領域にテレビジョン受像機の機器カテゴリと、その機器カテゴリ内の一部の操作用のコードが記憶させてある。この領域に使用した機器カテゴリ及びコードのリモートコントロール信号を受け付けるか否かは、モード設定操作などで選択できるようしてある。そのモード設定の詳細については後述する。
【００２９】
なお、例えばメモリ１０３のＡＶアンプ装置以外の機器のリモートコントロール信号を記憶する領域については、書換え可能な記憶領域として（ＡＶアンプ装置に関するリモートコントロール信号のデータは書換え不可能な記憶領域）、ＡＶアンプ装置以外の機器の機器カテゴリと操作用のコードについては、ユーザによる設定などで変更できるようにしても良い。或いは、予めＡＶアンプ装置以外の複数の機器のカテゴリやコードをメモリ１０３に記憶させておき、その中から使用できる機器カテゴリやコード（即ち制御部１０２が判別するカテゴリ，コード）を、ユーザ操作によるモード設定などで選択するようにしても良い。
【００３０】
図３は、本例のＡＶアンプ装置１００で受信する赤外線信号としてのリモートコントロール信号の構成の一例を示した図である。本例の場合、所定の周波数のパルスを送信する周期で、０データと１データを送信するようにしてあり、図３に示すように、最初にスタートコードとして、１データを所定期間連続して送信し、続いて、例えば５ビットで構成されるカテゴリコードを送信し、最後に例えば１０ビットで構成されるキーコードを送信する。スタートコードは、リモートコントロール信号を赤外線送信する場合に、必ず送信されるコードである。カテゴリコードは、送信するリモートコントロール信号が、どの機器に対するコードであることを示す機器コードである。
【００３１】
ＡＶアンプ装置用のリモートコントロール装置１０の場合には、このカテゴリコードがＡＶアンプ装置のコードになり、このリモートコントロール装置１０から送信されるリモートコントロール信号には、常時同じＡＶアンプ装置のカテゴリコードが付加される。テレビジョン受像機用のリモートコントロール装置２０の場合には、カテゴリコードがテレビジョン受像機のコードになり、このリモートコントロール装置２０から送信されるリモートコントロール信号には、常時同じテレビジョン受像機のカテゴリコードが付加される。
【００３２】
キーコードについては、各リモートコントロール装置１０，２０に配置されたキー１２〜１５，２２〜２５に対応して割当てられたコードである。例えば、入力切換キーに対応したキーコード、音量アップキーに対応したキーコード、音量ダウンキーに対応したキーコードが割当ててある。入力切換キーに対応したキーコードの場合、入力を次の位置に切換えさせる指示のコードである場合と、直接、入力１のような入力位置を指示するコードである場合とがある。なお、機器カテゴリが異なると、同じ機能であっても同じキーコードが割当ててあるとは限らない。
【００３３】
次に、本例のＡＶアンプ装置１００を使用して、図１に示すように接続されてシステムが構成されている場合の処理動作の例について説明する。まず、ＡＶアンプ装置１００の赤外線信号受光部１０１が赤外線信号を受信して、その受信データの制御部１０２での判断に基づいた処理例を、図４のフローチャートを参照して説明する。図４の例では、ＡＶアンプ装置１００の入力切換処理を行う例としてある。この入力切換処理とは、図１に示したシステム構成の場合、ＡＶアンプ装置１００内のビデオ入力切換部１２１及びオーディオ入力切換部１３１で入力を選択する処理であり、図１のビデオ再生装置２とチューナ３とを切換える処理（選択処理）である。
【００３４】
図４のフローチャートに従って説明すると、まずユーザは、ＡＶアンプ装置１００の近傍（赤外線信号が届く範囲内）で、所持したリモートコントロール装置の入力切換キーを操作する（ステップＳ１１）。例えば、ＡＶアンプ用のリモートコントロール装置１０の入力切換キー１２を押す。ここでは、このとき操作したリモートコントロール装置に設定されている機器カテゴリをカテゴリＸとする。
【００３５】
このリモートコントロール装置の操作があると、機器カテゴリＸで操作コードが入力切換を示したリモートコントロール信号が送信され、そのリモートコントロール信号がＡＶアンプ装置１００の赤外線信号受光部１０１で受信される（ステップＳ１２）。リモートコントロール信号を受信すると、制御部１０２は、受信した機器カテゴリＸが、現在設置中の受信処理カテゴリに含まれているか否か判断する（ステップＳ１３）。ここで、現在設置中の受信処理カテゴリに含まれていない場合には、制御部１０２は受信したリモートコントロール信号に対する処理を何も行わない。そして、現在設置中の受信処理カテゴリに含まれている場合には、制御部１０２が、ビデオ入力切換部１２１及びオーディオ入力切換部１３１での入力切換を実行させる制御指令を出力し、該当する入力切換を実行させる（ステップＳ１４）。
【００３６】
ここで、本例のＡＶアンプ装置１００で受信可能な機器カテゴリの設定について説明する。図５は、この機器カテゴリの設定処理例を示したフローチャートである。まず、ＡＶアンプ装置１００のキー１０４の中の特定のキー（設定切換キー）を操作して（ステップＳ２１）、機器カテゴリの設定（変更）を指示する。この操作があると、制御部１０２は、現在の設定値（設定カテゴリ）と比較し、新たな受信処理カテゴリを設定する（ステップＳ２２）。この新たに設定される機器のカテゴリは、例えば表示パネル１０５に文字や記号などで表示させても良い。
【００３７】
例えば、機器カテゴリ１と機器カテゴリ２とについてのデータがメモリ１０３に記憶させてある場合に、機器カテゴリ１を受信して処理できるモードと、機器カテゴリ２を受信して処理できるモードと、機器カテゴリ１と機器カテゴリ２の双方を受信して処理できるモードとの３つのモードを設定できる。
【００３８】
但し、その機器そのものの機器カテゴリについては、常時受信処理できるようにしても良い。即ち、例えばＡＶアンプ装置１００の場合、そのＡＶアンプ装置専用のリモートコントロール装置１０から送信されるリモートコントロール信号の受信処理については常時できるようにし、その他の機器カテゴリについて、受信処理できる場合と、受信処理できない場合を設定するようにしても良い。
【００３９】
また、その機器そのものの機器カテゴリとは別の機器カテゴリのリモートコントロール信号については、特定の動作を指示するコマンドのコードだけを有効と判断するようにしても良い。即ち、例えば図１に示したシステム構成の場合に、図６に示すように、ＡＶアンプ装置１００でリモートコントロール信号を処理するモードとして、モード１とモード２を設定できるようにする。そして、ＡＶアンプ装置用のリモートコントロール装置１０（図６での機器カテゴリＡ）から送信されるリモートコントロール信号については、モード１，モード２のいずれの場合でも、全てのコマンドのコードを有効と判断して、対応した処理を制御部１０２が実行させる。そして、テレビジョン受像機用のリモートコントロール装置２０から送信されるリモートコントロール信号については、モード２を設定した場合にだけ操作できるようにしてあり、操作できる機能として、リモートコントロール装置２０の入力切換キー２２，音量アップキー２３，音量ダウンキー２４の操作により送信されるコードだけを有効として、その他の機能のコードが送信された場合には、ＡＶアンプ装置１００では処理を行わないようにしてある。
【００４０】
この図６に示すようにモードが設定できる構成として、例えば図６に示したモード２を設定した場合には、ＡＶアンプ装置１００の操作が、ＡＶアンプ装置専用のリモートコントロール装置１０によって可能であることは勿論であるが、それとは別のテレビジョン受像機用のリモートコントロール装置２０によっても可能となり、テレビジョン受像機用のリモートコントロール装置が有効活用されると共に、リモートコントロール装置の使い勝手が向上する。即ち、ＡＶアンプ装置用のリモートコントロール装置１０と、テレビジョン受像機用のリモートコントロール装置２０の双方に、入力切換キーや音量調整用のキーが配置してあり、図１に示したシステムでビデオプログラムなどを視聴している際には、従来は、ユーザはいずれのリモートコントロール装置の入力切換キーや音量調整用のキーを操作すれば良いのか、確認する必要があったが、本例の場合には、いずれのリモートコントロール装置を操作しても同様の操作が可能であり、ユーザは２つのリモートコントロール装置の同じ機能のキーの使い分けを意識する必要がなくなる。
【００４１】
なお、図６に示した設定で、モード２とした場合に、テレビジョン受像機用のリモートコントロール装置２０の音量調整キーや入力切換キーを操作した場合、図１のシステム構成ではテレビジョン受像機１側でもそのキーに対応したリモートコントロール信号を受信して、対応した処理が実行されることになるが、そのことで不都合がある場合には、例えばテレビジョン受像機１で、ＡＶアンプ装置１００からの入力を選択している状況のとき、音量調整のコマンドや入力切換のコマンドについては、無効となるように設定できるようにすれば良い。なお、例えば図１のシステム構成でＡＶアンプ装置１００を使用している状況では、オーディオケーブルでＡＶアンプ装置１００とテレビジョン受像機１とを接続していないので、音量調整のコマンドをテレビジョン受像機１が受信しても、テレビジョン受像機内では何も処理が行われない（もし行われたとしても無音の状態で音量のアップ，ダウンがあるだけである）。また、入力切換についても、例えばＡＶアンプ装置１００からの入力を選択している状態では、例えば入力を固定させるような処理を行って、リモートコントロール装置２０からのコマンドによりテレビジョン受像機１での入力切換を禁止させるようにしても良い。
【００４２】
次に、本発明の第２の実施の形態を、図７を参照して説明する。本例の場合には、１台のテレビジョン受像機２００を用意して、そのテレビジョン受像機２００で、そのテレビジョン受像機２００専用のリモートコントロール装置３０からのリモートコントロール信号により操作ができるようにすると共に、それとは別のテレビジョン受像機用のリモートコントロール装置４０によっても操作ができるようにしたものである。ここでは、テレビジョン受像機２００と、リモートコントロール装置３０は、Ａ社で製造されたものであり、リモートコントロール装置４０については、それとは異なるＢ社で製造されたものとする。なお、Ａ社のリモートコントロール装置が送信するリモートコントロール信号（赤外線信号）と、Ｂ社のリモートコントロール装置が送信するリモートコントロール信号（赤外線信号）は、いずれの場合でも、基本的には図３に示したリモートコントロール信号と同様の信号で、少なくとも機器のカテゴリコードとキーコードとを有しているが、各コードの期間やビット数などは各社で異なる。
【００４３】
まず、本例のテレビジョン受像機２００の構成を、図７を参照して説明すると、このテレビジョン受像機は、アンテナ端子２１１，２１２を備えて、アンテナ端子２１２には衛星放送（ＢＳ放送）用のアンテナが接続されて、そのアンテナからの信号がＢＳチューナ２２１で受信処理される。アンテナ端子２１２には地上波用のアンテナが接続されて、そのアンテナからの信号が地上波チューナ２２２で受信処理される。受信チャンネルなどについては、制御部２０１により制御される。各チューナ２２１，２２２で受信されたビデオ信号は、外部入力端子２１３に得られるビデオ信号と共にビデオ入力切換部２２３に供給して、ビデオ入力切換部２２３でいずれか１つが選択される。同様に、各チューナ２２１，２２２で受信されたオーディオ信号は、外部入力端子２１３に得られるオーディオ信号と共にオーディオ入力切換部２２４に供給して、オーディオ入力切換部２２４でいずれか１つが選択される。それぞれの入力切換部２２３，２２４での選択は、制御部２０１により制御される。
【００４４】
ビデオ入力切換部２２３で選択されたビデオ信号は、ビデオ処理部２２５に供給して、表示のためのビデオ処理が施される。例えば高画質化のためのビデオ処理や、文字，数字などのスーパーインポーズのための処理などが行われる。ビデオ処理部２２５の出力は、表示駆動部２２６に供給されて、表示部２２７でのビデオ表示を行うための駆動処理を行う。表示部２２７としては、例えば陰極線管，液晶表示パネルなどの各種映像表示手段が使用可能である。
【００４５】
オーディオ入力切換部２２４で選択されたビデオ信号は、オーディオ処理部２２８に供給して、オーディオ出力のためのビデオ処理が施される。例えば立体音響を再生させるためのサラウンド処理などが行われる。オーディオ処理部２２８の出力は、左右のチャンネル別の増幅器２２９Ｌ，２２９Ｒに供給して音量調整状態に基づいた増幅を行い、その出力を左右のチャンネル別のスピーカ２３０Ｌ，２３０Ｒに供給して出力（放音）させる。これらのビデオ信号やオーディオ信号の処理は、制御部２０１の制御により実行される。
【００４６】
制御部２０１には、メモリ２０２が接続してあり、このメモリ２０２に制御に必要なデータやプログラムなどが記憶させてある。このメモリ２０２に記憶させるデータの１つとして、この受像機２００で受信するリモートコントロール信号のコードや機器カテゴリに関するデータがある。ここで本例の場合には、複数の機器カテゴリとそのカテゴリのコードに関する情報がメモリ２０２に記憶させてある。但し、ここでの機器カテゴリは、全てテレビジョン受像機に関するカテゴリであり、この受像機２００の製造メーカであるＡ社の機器カテゴリとコードに関する情報だけでなく、別の製造メーカである、Ｂ社，Ｃ社‥‥の機器カテゴリとコードに関する情報を記憶させてある。また、別のメーカのリモートコントロール信号を受信して判別する上で必要な情報（例えばスタートコードの相違など）が必要な場合には、その情報についてもメモリ２０２に記憶させてある。
【００４７】
なお、このテレビジョン受像機２００のメモリ２０２のリモートコントロール信号に関する情報の記憶領域の一部を、書換え可能な記憶領域として、ユーザによる設定操作で、カテゴリやコードを記憶させるようにしても良い。
【００４８】
また、本例のテレビジョン受像機２００は、キー２０３と赤外線信号受光部２０４とを備え、キー２０３の操作を制御部２０１が判断して、各種操作が可能であると共に、赤外線信号受光部２０４で受信した信号を制御部２０１が判断して、各種操作が行われる。
【００４９】
２つのリモートコントロール装置３０，リモートコントロール装置４０は、それぞれ赤外線信号送信部３１，４１を有し、配置されたキー３２，４２の操作で、それぞれの装置の製造メーカ毎に設定された構成のリモートコントロール信号が送信される。
【００５０】
そして、テレビジョン受像機２００の制御部２０１は、赤外線信号受光部２０４で受信したリモートコントロール信号に基づいた動作制御を行う場合に、受信処理カテゴリを選択できるようにしてある。即ち、上述した第１の実施の形態の図５のフローチャートで説明したように、リモートコントロール装置３０に設定されたカテゴリ（カテゴリ１）による操作が可能なモードと、リモートコントロール装置４０に設定されたカテゴリ（カテゴリ２）による操作が可能なモードと、２つのリモートコントロール装置３０，４０に設定されたカテゴリの両方（カテゴリ１及びカテゴリ２）による操作が可能なモードとを選択できるようにしてある。このモード選択は、例えば特定のキー２０３の操作で可能とする。
【００５１】
この場合、それぞれのリモートコントロール装置３０，４０は、いずれもテレビジョン受像機用のリモートコントロール装置であるので、基本的にほとんどのキーに割当て機能の操作をできるように設定するが、メーカ毎に異なる一部の特殊な機能のリモートコントロール信号については、受信しても無視するようにする。
【００５２】
このように構成したことで、１台のテレビジョン受像機が、異なるメーカの複数台のリモートコントロール装置で操作できるようになる。従って、例えば以前に使用していたＢ社のテレビジョン受像機用のリモートコントロール装置４０をユーザが所持しているような場合に、２つのカテゴリの両方による操作が可能なモードを設定することで、テレビジョン受像機２００専用のリモートコントロール装置３０だけでなく、リモートコントロール装置４０についても使用できるようになり、各ユーザが所持するリモートコントロール装置が有効に活用されることになる。
【００５３】
この場合、メモリ２０２のリモートコントロール信号に関する情報を書換え可能に構成して、ユーザ設定でリモートコントロール信号をメモリ２０２に記憶させる、いわゆる学習機能を備えるようにした場合には、ユーザが所持するどのようなコード構成のリモートコントロール装置であっても使用可能になり、よりリモートコントロール装置が有効に活用されるようになる。なお、このような学習機能でメモリ２０２にリモートコントロール信号を記憶させる場合には、赤外線信号受光部２０４で受信したリモートコントロール信号を、各コマンド毎にそのまま記憶することになり、制御部２０１が機器カテゴリなどの解析はしないことになるが、基本的には、その記憶データには機器カテゴリとコマンド毎のコードなどが含まれているので、機器カテゴリとコードとに分類して記憶させて処理した場合と同じ処理が行われることになる。
【００５４】
なお、ここまで説明した各実施の形態では、ＡＶアンプ装置とテレビジョン受像機を使用してシステムを組む場合の例や、テレビジョン受像機単体で使用する例について説明したが、その他の構成の電子機器で、１台の機器が複数の機器カテゴリのリモートコントロール信号を受信できるように構成しても良いことは勿論である。基本的に、本発明はリモートコントロール信号の受信で作動する電子機器であれば、いずれの機器にも適用可能である。
【００５５】
また、第１の実施の形態で説明したように、複数の機器カテゴリのリモートコントロール信号に対応させる場合に、一方のリモートコントロール信号については一部のコードに制限させる場合の例として、音量調整のコマンドと、入力切換のコマンドを例にしたが、その他のコマンドだけを有効とするように制限させても良い。
【００５６】
また、上述した各実施の形態では、リモートコントロール信号を赤外線信号として無線伝送する機器に適用した例としたが、その他の伝送方式でリモートコントロール信号を伝送する場合に適用可能である。
【図面の簡単な説明】
【００５７】
【図１】本発明の第１の実施の形態によるシステム構成例を示した構成図である。
【図２】本発明の第１の実施の形態によるＡＶアンプ装置の構成例を示したブロック図である。
【図３】本発明の第１の実施の形態によるリモートコントロール信号の例を示した説明図である。
【図４】本発明の第１の実施の形態による入力切換操作をされた場合の処理例を示したフローチャートである。
【図５】本発明の第１の実施の形態による受信処理カテゴリの設定切換の処理例を示したフローチャートである。
【図６】本発明の第１の実施の形態によるモード毎の操作例を示した説明図である。
【図７】本発明の第２の実施の形態によるテレビジョン受像機の構成例を示したブロック図である。
【符号の説明】
【００５８】
１…テレビジョン受像機、２…ビデオ再生装置、３…チューナ、４Ｌ，４Ｒ…スピーカ装置、１０…ＡＶアンプ装置用のリモートコントロール装置、１１…赤外線信号発光部、１２…入力切換キー、１３…音量アップキー、１４…音量ダウンキー、１５…操作キー、２０…テレビジョン受像機用のリモートコントロール装置、２１…赤外線信号発光部、２２…入力切換キー、２３…音量アップキー、２４…音量ダウンキー、２５…操作キー、３０…テレビジョン受像機用リモートコントロール装置（Ａ社製）、３１…赤外線信号発光部、３２…操作キー、４０…テレビジョン受像機用リモートコントロール装置（Ｂ社製）、４１…赤外線信号発光部、４２…操作キー、１００…ＡＶアンプ装置、１０１…赤外線受光部、１０２…制御部、１０３…メモリ、１０４…キー、１０５…表示パネル、１１１，１１２，１１３…入力端子、１２１…ビデオ入力切換部、１２２…ビデオ処理部、１２３…ビデオ信号出力端子、１３１…オーディオ入力切換部、１３２…オーディオ処理部、１３３Ｌ，１３３Ｒ…増幅器、１３４Ｌ，１３４Ｒ…オーディオ出力端子、２００…テレビジョン受像機、２０１…制御部、２０２…メモリ、２０３…キー、２１１，２１２…アンテナ端子、２１３…入力端子、２２１…ＢＳチューナ、２２２…地上波チューナ、２２３…ビデオ入力切換部、２２４…オーディオ入力切換部、２２５…ビデオ処理部、２２６…表示駆動部、２２７…表示部、２２８…オーディオ処理部、２２９Ｌ，２２９Ｒ…増幅部、２３０Ｌ，２３０Ｒ…スピーカ
【図１】
2005197951.tif 000003
【図２】
2005197951.tif 000004
【図３】
2005197951.tif 000005
【図４】
2005197951.tif 000006
【図５】
2005197951.tif 000007
【図６】
2005197951.tif 000008
【図７】
2005197951.tif 000009